(57)【要約】【課題】所望の温度範囲内に室内温度を制御することができる換気送風機用コントローラを得ることを目的にしている。【解決手段】室外温度θを検出する検出部１０２と、前記室外温度θが第１温度Ａ１と第２温度Ａ２との間にあるか否かの判定を行い、該判定結果に基づいて、室外と室内との換気を行う換気システムを制御する制御部１０６と、を有する換気送風機用コントローラ。【選択図】図１
2015087026.tif 000002
【特許請求の範囲】
【請求項１】
室外温度を検出する検出部と、
前記室外温度が第１温度と第２温度との間にあるか否かの判定を行い、該判定結果に基づいて、室外と室内との換気を行う換気システムを制御する制御部と、
を有することを特徴とする換気送風機用コントローラ。
【請求項２】
前記制御部は、前記室外温度が前記第１温度と前記第２温度との間にあるときに、前記換気システムの給気用ファンを駆動するように制御を行い、前記室外温度が前記第１温度と前記第２温度との間にないときには、前記給気用ファンを停止するように制御を行うことを特徴とする請求項１記載の換気送風機用コントローラ。
【請求項３】
前記制御部は、前記室外温度が前記第１温度と前記第２温度との間にあるときに、前記換気システムの給気用ファンを停止するように制御を行い、前記室外温度が前記第１温度と前記第２温度との間にないときには、前記給気用ファンを駆動するように制御を行うことを特徴とする請求項１記載の換気送風機用コントローラ。
【請求項４】
第１動作モードと第２動作モードとを切り替える切替部をさらに有し、
前記第１動作モードでは、前記制御部は、前記室外温度が前記第１温度と前記第２温度との間にあるときに、前記換気システムの給気用ファンを駆動するように制御を行い、前記室外温度が前記第１温度と前記第２温度との間にないときには、前記給気用ファンを停止するように制御を行い、
前記第２動作モードでは、前記制御部は、前記室外温度が前記第１温度と前記第２温度との間にあるときに、前記給気用ファンを停止するように制御を行い、前記室外温度が前記第１温度と前記第２温度との間にないときには、前記給気用ファンを駆動するように制御を行うことを特徴とする請求項１記載の換気送風機用コントローラ。
【請求項５】
前記制御部は、前記室外温度が前記第１温度と前記第２温度との間にあるときに、前記室内の暖房または冷房を行う空気調和装置を停止するように制御を行うことを特徴とする請求項１〜請求項４のいずれか一項に記載の換気送風機用コントローラ。
【請求項６】
前記制御部は、前記室内の暖房または冷房を行う空気調和装置の動作が停止しているときに、前記室外温度が前記第１温度と前記第２温度との間にあるか否かの判定結果に基づいて、前記換気システムの制御を行うことを特徴とする請求項１〜請求項４のいずれか一項に記載の換気送風機用コントローラ。
【請求項７】
前記制御部は、季節を判断するカレンダー部を含み、第１季節では第２季節よりも前記第２温度を高く再設定することを特徴とする請求項１〜請求項６のいずれか一項に記載の換気送風機用コントローラ。
【請求項８】
前記制御部は、時間帯を判断するタイマー部を含み、第１時間帯では第２時間帯よりも前記第１温度を高く再設定することを特徴とする請求項１〜請求項７のいずれか一項に記載の換気送風機用コントローラ。
【請求項９】
請求項１〜請求項８のいずれか一項に記載の換気送風機用コントローラと、
前記室内と前記室外との換気を行う換気システムと、
前記室内の暖房または冷房を行う空気調和装置と、を備えることを特徴とする空気調和システム。
【請求項１０】
請求項４に従属する請求項５〜請求項８のいずれか一項に記載の換気送風機用コントローラは、前記第１動作モードを選択してあることを特徴とする請求項９記載の空気調和システム。
【請求項１１】
前記換気システムは、
前記室外の室外空気を前記室内に取り込む給気通風路、
前記給気通風路とは独立して形成してあり、前記室内の室内空気を前記室外に排出する排気用風路、および
前記給気通風路を流れる前記室外空気と前記排気用風路を流れる前記室内空気との熱交換を行う全熱交換器を含み、
請求項４に従属する請求項５〜請求項８のいずれか一項に記載の換気送風機用コントローラは、前記第２動作モードを選択してあることを特徴とする請求項９記載の空気調和システム。
【発明の詳細な説明】
【技術分野】
【０００１】
この発明は、換気送風機用コントローラおよび空気調和システムに関する。
【背景技術】
【０００２】
従来の換気送風機用コントローラとしては、例えば、設定温度を入力する入力部と、設定温度を表示する表示部と、温度を検出する検出部と、換気用送風機に制御信号を出力する出力部と、を有するものが知られている。
【０００３】
従来の換気送風機用コントローラは、例えば、屋根裏部屋に設置してあり、屋根裏部屋の温度が設定温度以上になったときに、ファンを動作させるように制御を行っていた。従来では、このように制御を行って、屋根裏部屋に外部の空気を取り込んで、屋根裏部屋の空気を排出して、屋根裏部屋の室温を下げていた（例えば、特許文献１参照）。
【先行技術文献】
【特許文献】
【０００４】
【特許文献１】特開２０００−１９９６３５号公報（第２頁、図１）
【発明の概要】
【発明が解決しようとする課題】
【０００５】
しかしながら、従来の換気送風機用コントローラは、上記のように、室内温度が設定温度以上になったときに、ファンを動作させる制御を行うのみの単純な構成であった。このため、従来の換気送風機用コントローラでは、室内を所望の温度範囲内に制御することが困難であった。例えば、従来の換気送風機用コントローラは、室外の温度が所望の温度範囲内にないときでも、外部の空気を取り込んでしまうおそれがあった。
【０００６】
この発明は、上記の課題を解決するためになされたものであり、その目的は、所望の温度範囲内に室内温度を制御することができる換気送風機用コントローラおよび空気調和システムを得るものである。
【課題を解決するための手段】
【０００７】
この発明に係る換気送風機用コントローラは、室外温度を検出する検出部と、前記室外温度が第１温度と第２温度との間にあるか否かの判定を行い、該判定結果に基づいて、室外と室内との換気を行う換気システムを制御する制御部と、を有することを特徴とする。
【発明の効果】
【０００８】
この発明に係る換気送風機用コントローラは、室外温度が第１温度と第２温度との間にあるときに、室外と室内との換気を行うので、換気によって室内の温度を所望の温度範囲内に制御することができる。
【図面の簡単な説明】
【０００９】
【図１】この発明の実施の形態１に係る換気送風機用コントローラの正面図およびブロック図である。
【図２】図１に示す換気送風機用コントローラを備える空気調和システムの一例を示す概略図である（実施の形態１に対応する）。
【図３】図２に示す換気送風機用コントローラの動作の一例を説明するフローチャートである。
【図４】室外温度と図２に示す空気調和システムのファンの運転状態との関係を示すタイムチャートである。
【図５】図１に示す換気送風機用コントローラを備える空気調和システムの他の例を示す概略図である（実施の形態２に対応する）。
【図６】図５に示す熱交換換気装置の動作を説明する概略図である。
【図７】図５に示す換気送風機用コントローラの動作の一例を説明するフローチャートである。
【図８】１年間の気温の変化と図５に示す空気調和システムにおける第１設定温度および第２設定温度との関係を示すタイムチャートである。
【図９】１日の気温の変化と図５に示す空気調和システムにおける第１設定温度および第２設定温度との関係を示すタイムチャートである。
【発明を実施するための形態】
【００１０】
実施の形態１．
図１（ａ）は、この発明の実施の形態１に係る換気送風機用コントローラ１００（以下、「コントローラ１００」という）の正面図であり、図１（ｂ）は、その構成を説明する概略ブロック図である。なお、以下の説明では、図において、同一の符号を付したものは、同一またはこれに相当するものであり、このことは、明細書の全文において共通することである。
【００１１】
実施の形態１に係るコントローラ１００は、図１（ａ）および図１（ｂ）に示すように、温度を検出する検出部１０２と、設定温度および動作モード等を入力する入力部１０４と、コントローラ１００の制御等を行う制御部１０６（図１（ｂ））と、設定温度等を表示する表示部１０８と、他の装置（例えば、図２に示すビニールハウス２０１、図５に示す住居３０１）との接続を行うインターフェース部１１０と、を有する。
【００１２】
検出部１０２は、例えば、サーミスタ等の温度センサを有し、温度に関する温度信号を出力する。検出部１０２が出力した温度信号は、制御部１０６に入力される。なお、検出部１０２は、コントローラ１００に組み込まれて、コントローラ１００と一体的に構成してあってもよく、または、コントローラ１００とは別個に構成されて、コントローラ１００に接続してあってもよい。
【００１３】
入力部１０４は、図１（ａ）に示すように、設定温度を入力する設定温度入力部１０４ａと、動作モードを切り替える切替部１０４ｄとを有する。
設定温度入力部１０４ａは、例えば、第１設定温度（第１温度）Ａ１を入力する第１温度入力部１０４ｂと第２設定温度（第２温度）Ａ２を入力する第２温度入力部１０４ｃとを有する。第１温度入力部１０４ｂおよび第２温度入力部１０４ｃは、例えば、ロータリースイッチで構成してあり、入力した設定温度を視認することができる。
切替部１０４ｄは、コントローラ１００の第１動作モードと第２動作モードとを切り替える。切替部１０４ｄは、例えば、切替スイッチで構成してあり、入力した動作モードを視認することができる。
入力部１０４で入力された設定温度および動作モードは、図１（ｂ）に示すように、制御部１０６に入力される。
【００１４】
制御部１０６は、検出部１０２、入力部１０４、インターフェース部１１０等からの入力に基づいて、表示部１０８およびインターフェース部１１０等の制御を行う。制御部１０６は、例えば、ＣＰＵまたは特定の処理を行う信号処理回路で構成してある。
【００１５】
表示部１０８は、例えば、液晶ディスプレイで構成してあり、少なくとも入力部１０４で入力された第１設定温度Ａ１および第２設定温度Ａ２を表示する。さらに、表示部１０８は、検出部１０２が検出した温度情報、切替部１０４ｄが入力した動作モード、その他の情報を表示することができる。なお、第１温度入力部１０４ｂおよび第２温度入力部１０４ｃがロータリースイッチ等で構成してあり、入力した設定温度を視認することができる場合には、表示部１０８を省略してもよい。また、表示部１０８は、表示機能および入力機能を有するタッチパネルで構成してあってもよく、この場合には、入力部１０４と表示部１０８とを一体的に構成することができる。
【００１６】
インターフェース部１１０は、コントローラ１００と外部装置（例えば、図２に示すビニールハウス２０１、図５に示す住居３０１）との接続を行う。制御部１０６は、インターフェース部１１０を介して、外部装置と信号の入出力を行うことができる。例えば、制御部１０６が出力する制御信号は、インターフェース部１１０を介して、図２に示す給気用ファン２０２に入力される。
【００１７】
図２に示すように、この実施の形態に係るコントローラ１００は、ビニールハウス２０１に組み込まれる。ビニールハウス２０１は、換気システムを構成する給気用ファン２０２および排気用ファン２０４ならびに空気調和装置２０６を備えており、これらは空気調和システム２００を構成する。ビニールハウス２０１の内部は、上限管理温度と下限管理温度との間で温度管理されており、その内部では、例えば、農作物２０８が生産される。
【００１８】
この実施の形態では、図１（ａ）に示すコントローラ１００の切替部１０４ｄを操作して、第１動作モードに設定してある。第１動作モードでは、後述するように、室外温度θが第１設定温度Ａ１と第２設定温度Ａ２との間にあるときは、制御部１０６は給気用ファン２０２を駆動するように制御を行う。また、第１動作モードでは、室外温度θが第１設定温度Ａ１と第２設定温度Ａ２との間にないときは、制御部１０６は給気用ファン２０２を停止するように制御を行う。
【００１９】
コントローラ１００は、ビニールハウス２０１の外側に配置してあり、図１に示す検出部１０２は、ビニールハウス２０１の外部の室外温度θを検出する。なお、検出部１０２をビニールハウス２０１の外部に配置して、その他の構成をビニールハウス２０１の内部に配置して、それらを接続してあってもよい。
【００２０】
給気用ファン２０２は、ビニールハウス２０１の外部の空気をビニールハウス２０１の内部に取り入れる。排気用ファン２０４は、ビニールハウス２０１の内部の空気をビニールハウス２０１の外部へ排出する。空気調和装置２０６は、例えば、ヒートポンプであり、ビニールハウス２０１内の冷房または暖房を行う。
【００２１】
次に、図３を用いて、この実施の形態に係るコントローラ１００の動作の一例を説明する。
まず、ステップＳ１０にて、図２に示すビニールハウス２０１の温度管理を行うユーザは、図１に示す入力部１０４を利用して、図４に示す第１設定温度Ａ１および第２設定温度Ａ２を入力する。第１設定温度Ａ１は、ビニールハウス２０１の下限管理温度に対応しており、第２設定温度Ａ２は、ビニールハウス２０１の上限管理温度に対応する。なお、第１設定温度Ａ１は、ビニールハウス２０１の下限管理温度と同じであってもよく、第２設定温度Ａ２は、ビニールハウス２０１の上限管理温度と同じであってもよい。
この実施の形態では、第１設定温度Ａ１は１８℃であり、第２設定温度Ａ２は２２℃であるが、ユーザはこれらの設定温度を適宜設定することができる。設定した温度範囲の室外空気を室内に取り込むことによって、ビニールハウス２０１内の温度を所望の温度範囲に保つことができる。
入力部１０４で入力された第１設定温度Ａ１および第２設定温度Ａ２は、図１（ｂ）に示す制御部１０６に入力される。
【００２２】
図３に示すステップＳ１２にて、図１（ｂ）に示す制御部１０６は、入力部１０４で入力された第１設定温度Ａ１および第２設定温度Ａ２を記憶する。ステップＳ１４では、コントローラ１００の制御を終了するか否かを判断する。例えば、コントローラ１００の制御を終了するように、図示を省略してある運転スイッチに入力を行ったときは、ＥＮＤに進んで制御を終了する。
【００２３】
ステップＳ１６にて、検出部１０２は、ビニールハウス２０１の外部の室外温度θを検出する。検出部１０２が検出した室外温度θは、制御部１０６に入力される。
【００２４】
ステップＳ１８にて、制御部１０６は、室外温度θを第１設定温度Ａ１および第２設定温度Ａ２と比較する。室外温度θが、第１設定温度Ａ１と第２設定温度Ａ２との間にあるときは、ステップＳ２０に進み、室外温度θが、第１設定温度Ａ１と第２設定温度Ａ２との間にないときは、ステップＳ２２に進む。
【００２５】
ステップＳ２０では、制御部１０６は、図２に示す給気用ファン２０２を駆動するように制御を行う。すなわち、図４に示すように、室外温度θが第１設定温度Ａ１と第２設定温度Ａ２との間にあるときは、制御部１０６は給気用ファン２０２を駆動するように制御を行う。
【００２６】
ステップＳ２２では、制御部１０６は、給気用ファン２０２を停止するように制御を行う。すなわち、室外温度θが第１設定温度Ａ１と第２設定温度Ａ２との間にないときは、制御部１０６は給気用ファン２０２を停止するように制御を行う。
【００２７】
次に、図４を用いて、この実施の形態に係る空気調和システム２００の制御の一例を説明する。図４において、縦軸は室外温度θ（℃）、横軸は時間ｔ（ｈｏｕｒ）であり、室外温度θは、時間の経過とともに変化している。
時間帯ｔ１−ｔ２およびｔ５−ｔ６では、室外温度θが第１設定温度Ａ１よりも低く、第１設定温度Ａ１と第２設定温度Ａ２との間にないので、図１（ｂ）に示す制御部１０６は、図２に示す給気用ファン２０２をＯＦＦするように制御を行う。
時間帯ｔ２−ｔ３およびｔ４−ｔ５では、室外温度θが第１設定温度Ａ１と第２設定温度Ａ２との間にあるので、制御部１０６は、給気用ファン２０２をＯＮするように制御を行う。
時間帯ｔ３−ｔ４では、室外温度θが第２設定温度Ａ２よりも高く、第１設定温度Ａ１と第２設定温度Ａ２との間にないので、制御部１０６は、給気用ファン２０２をＯＦＦするように制御を行う。
【００２８】
上記のように、この実施の形態に係るコントローラ１００は、ビニールハウス２０１外の室外温度θが、第１設定温度Ａ１と第２設定温度Ａ２との間にあるときに、換気を行うように制御を行っている。さらに、この実施の形態に係るコントローラ１００は、ビニールハウス２０１外の室外温度θが、第１設定温度Ａ１と第２設定温度Ａ２との間にないときには、換気を停止するように制御を行っている。その結果、この実施の形態に係る空気調和システム２００では、第１設定温度Ａ１と第２設定温度Ａ２との間にあるビニールハウス２０１外の空気を取り込んで、ビニールハウス２０１内の温度を所望の温度範囲内にコントロールすることができる。この実施の形態に係る空気調和システム２００は、給気用ファン２０２を駆動して換気を行うのみで、ビニールハウス２０１内の温度を所望の温度範囲内にコントロールすることができるので、空気調和システム２００の省エネルギー化が達成されている。
【００２９】
なお、この実施の形態のコントローラ１００は、図２に示す給気用ファン２０２および排気用ファン２０４の両方に接続してあってもよい。給気用ファン２０２および排気用ファン２０４を同時に駆動することによって、換気効果が向上する。
【００３０】
また、この実施の形態のコントローラ１００は、空気調和装置２０６に接続してあってもよい。
例えば、図４に示すように、室外温度θが第１設定温度Ａ１よりも低いとき（ｔ１−ｔ２，ｔ５−ｔ６）には、コントローラ１００は、給気用ファン２０２を停止して、空気調和装置２０６で暖房を行うように制御を行う。
室外温度θが第１設定温度Ａ１と第２設定温度Ａ２との間にあるとき（ｔ２−ｔ３，ｔ４−ｔ５）には、コントローラ１００は、給気用ファン２０２を駆動して換気を行い、空気調和装置２０６を停止するように制御を行う。
室外温度θが第２設定温度Ａ２よりも高いとき（ｔ３−ｔ４）には、コントローラ１００は、給気用ファン２０２を停止して、空気調和装置２０６で冷房を行うように制御を行う。
【００３１】
上記のように、コントローラ１００を給気用ファン２０２および空気調和装置２０６に接続することによって、コントローラ１００は、空気調和システム２００の自動制御を行うことができる。すなわち、コントローラ１００は、給気用ファン２０２での換気ならびに空気調和装置２０６での冷房および暖房を利用して、ビニールハウス２０１内の温度を所望の温度範囲内に制御することができる。この自動制御が行われる空気調和システム２００では、室外温度θが設定した温度範囲にあるときには、空気調和装置２０６を停止して、且つビニールハウス２０１外の空気を利用した換気を行うことによって、ビニールハウス２０１内の温度管理を行うことができる。その結果、空気調和システム２００の省エネルギー化が達成されている。
【００３２】
また、コントローラ１００は、空気調和装置２０６の運転信号に基づいて、空気調和システム２００の制御を行うことができる。例えば、コントローラ１００は、空気調和装置２０６が停止しているときに、換気を行うように制御を行い、空気調和装置２０６が駆動しているときには、換気を停止するように制御を行う。
【００３３】
実施の形態２．
実施の形態２では、図５に示すように、コントローラ１００は、住居３０１に組み込まれる。住居３０１は、換気システムを構成する熱交換換気装置３０２および空気調和装置２０６を備えており、これらは空気調和システム３００を構成する。コントローラ１００は、住居３０１の外側に配置してあり、図１に示す検出部１０２は、住居３０１の外部の室外温度θを検出する。
【００３４】
この実施の形態では、図１（ａ）に示すコントローラ１００の切替部１０４ｄを操作して、第２動作モードに設定してある。第２動作モードでは、後述するように、第１動作モードとは異なり、室外温度θが第１設定温度Ａ１と第２設定温度Ａ２との間にあるときは、コントローラ１００は給気用ファンを停止するように制御を行う。また、第２動作モードでは、第１動作モードとは異なり、室外温度θが第１設定温度Ａ１と第２設定温度Ａ２との間にないときは、コントローラ１００は給気用ファンを駆動するように制御を行う。なお、以下の説明では、上記の実施の形態１と重複する部分については、説明を省略する。
【００３５】
熱交換換気装置３０２は、給気通風路３０２Ａおよび排気通風路３０２Ｂならびに全熱交換器３０２Ｃを備える。給気通風路３０２Ａは、図示を省略してある給気用ファンを有し、住居３０１の外部の空気を住居３０１の内部に取り入れる。排気通風路３０２Ｂは、図示を省略してある排気用ファンを有し、住居３０１の内部の空気を住居３０１の外部に排出する。なお、給気通風路３０２Ａと排気通風路３０２Ｂとは独立して形成してある。
全熱交換器３０２Ｃは、図６（ａ）に示すように、給気通風路３０２Ａおよび排気通風路３０２Ｂに連通してあり、給気通風路３０２Ａを流れる室外空気ＯＡと排気通風路３０２Ｂを流れる室内空気ＲＡとの全熱交換を行う。すなわち、室外空気ＯＡは、給気通風路３０２Ａに取り込まれ、全熱交換器３０２Ｃで熱交換が行われて、室内に調整空気ＳＡとして供給される。また、室内空気ＲＡは、排気通風路３０２Ｂに取り込まれ、全熱交換器３０２Ｃで熱交換が行われて、排気ＥＡを室外に排気する。
【００３６】
全熱交換器３０２Ｃは、例えば、空気調和装置２０６で室内を冷却しているときには、排気通風路３０２Ｂを流れる冷たい室内空気ＲＡと、給気通風路３０２Ａを流れる暖かい室外空気ＯＡとの全熱交換を行う。したがって、熱交換換気装置３０２は、空気調和装置２０６で室内を冷却しているときには、全熱交換器３０２Ｃで冷却された調整空気ＳＡを住居３０１内に取り込むことができる。
また、全熱交換器３０２Ｃは、例えば、空気調和装置２０６で室内を暖房しているときには、排気通風路３０２Ｂを流れる暖かい室内空気ＲＡと、給気通風路３０２Ａを流れる冷たい室外空気ＯＡとの全熱交換を行う。したがって、熱交換換気装置３０２は、空気調和装置２０６で室内を暖房しているときには、全熱交換器３０２Ｃで加熱された調整空気ＳＡを住居３０１内に取り込むことができる。
上記のように、熱交換換気装置３０２は、通常の換気装置では、室外に捨てられてしまう室内の暖かい空気または冷やされた空気の熱を再利用して、熱交換を行いながら換気を行うことができる。したがって、熱交換換気装置３０２を含む空気調和システム３００では、室内の冷房または暖房を行い且つ換気を行う場合に、室内の潜熱負荷の増加が抑制されており、空気調和システム３００の省エネルギー化を達成している。
なお、この実施の形態では、全熱交換器３０２Ｃでの熱交換を行わない通常の換気を行う際には、図６（ｂ）に示すように、給気通風路３０２Ａの給気用ファンを停止し、排気通風路３０２Ｂの排気用ファンを駆動して、自然給気によって換気を行う。このように、この実施の形態では、通常の換気を行う際に、排気通風路３０２Ｂの排気用ファンを利用した第三種排気を行っており、空気調和システム３００の省エネルギー化を達成している。
【００３７】
この実施の形態では、上記の実施の形態１とは異なり、図７に示すステップＳ１０にて、住居３０１内の温度管理を行うユーザは、図１に示す入力部１０４を介して、図８に示す第１設定温度Ａ１および第２設定温度Ａ２を入力する。この実施の形態では、第１設定温度Ａ１は２２℃であり、第２設定温度Ａ２は２８℃であるが、ユーザはこれらの設定温度を適宜設定することができる。
また、この実施の形態では、実施の形態１とは異なり、図７に示すステップＳ１８にて、室外温度θが第１設定温度Ａ１と第２設定温度Ａ２との間にあるときは、ステップＳ２１に進み、室外温度θが第１設定温度Ａ１と第２設定温度Ａ２との間にないときは、ステップＳ２３に進む。すなわち、この実施の形態では、室外温度θが第１設定温度Ａ１と第２設定温度Ａ２との間にあるときは、ステップＳ２１にて、給気通風路３０２Ａの給気用ファンを停止するように制御を行う。また、室外温度θが第１設定温度Ａ１と第２設定温度Ａ２との間にないときは、ステップＳ２３にて、給気通風路３０２Ａの給気用ファンを駆動するように制御を行う。
【００３８】
次に、図８を用いて、この実施の形態に係る空気調和システム３００の制御の一例を説明する。図８は、１年間の気温の変化の一例を示しており、季節の変化に伴い気温が変化している。
【００３９】
１１月〜４月を含む季節では、室外温度θが第１設定温度Ａ１よりも低い。したがって、コントローラ１００は、図６（ａ）に示すように、給気通風路３０２Ａの給気用ファンを駆動するように制御を行う。このとき、熱交換換気装置３０２では、全熱交換運転が行われる。すなわち、室外の冷たい室外空気ＯＡは、全熱交換器３０２Ｃで加熱されて、調整空気ＳＡとして住居３０１内に取り込まれる。
【００４０】
５月、６月、１０月を含む季節では、室外温度θが第１設定温度Ａ１よりも低い期間および／または時間帯と、室外温度θが第１設定温度Ａ１と第２設定温度Ａ２との間にある期間および／または時間帯を含む。
その一例として、ある春の１日の気温の変化の例を、図９（ａ）に示す。図９（ａ）に示すように、気温は時間帯の変化に伴い変化している。
室外温度θが第１設定温度Ａ１よりも低い時間帯（午前中、夜間）には、給気通風路３０２Ａの給気用ファンを駆動して、熱交換換気装置３０２の全熱交換運転を行う。
室外温度θが第１設定温度Ａ１と第２設定温度Ａ２との間にある時間帯（昼）には、コントローラ１００は、給気通風路３０２Ａの給気用ファンを停止するように制御を行う。すなわち、昼頃の暖かい時間帯では、給気通風路３０２Ａの給気用ファンを停止して第三種排気を行う。
【００４１】
７月〜９月を含む季節では、室外温度θが第１設定温度Ａ１と第２設定温度Ａ２との間にある期間および／または時間帯と、室外温度θが第２設定温度Ａ２よりも高い期間および／または時間帯を含む。
その一例として、ある夏の１日の気温の変化の例を、図９（ｂ）に示す。図９（ｂ）に示すように、気温は時間帯の変化に伴い変化している。
室外温度θが第１設定温度Ａ１と第２設定温度Ａ２との間にある時間帯（夜間）には、コントローラ１００は、給気通風路３０２Ａの給気用ファンを停止するように制御を行う。すなわち、夜間の涼しい時間帯には、給気通風路３０２Ａの給気用ファンを停止して第三種排気を行う。
室外温度θが第２設定温度Ａ２よりも高い時間帯（日中）には、給気通風路３０２Ａの給気用ファンを駆動して、熱交換換気装置３０２の全熱交換運転を行う。
【００４２】
上記のように、この実施の形態に係る空気調和システム３００は、熱交換換気装置３０２を含んでおり、通常の換気装置では、室外に捨てられてしまう室内の暖かい空気または冷やされた空気の熱を再利用して、熱交換を行いながら換気を行うことができる。したがって、この実施の形態に係る空気調和システム３００では、室内の冷房または暖房を行い且つ換気を行う場合において、室内の潜熱負荷の増加が抑制されており、空気調和システム３００の省エネルギー化を達成している。
さらに、この実施の形態に係る空気調和システム３００では、室外温度θが第１設定温度Ａ１と第２設定温度Ａ２との間にあるときに、給気通風路３０２Ａの給気用ファンを停止して、排気通風路３０２Ｂの排気用ファンを利用した第三種排気を行っており、空気調和システム３００の省エネルギー化を達成している。
【００４３】
なお、上記のように、コントローラ１００は、図１に示す切替部１０４ｄの操作を行うのみで、第１動作モードと第２動作モードとを切り替えることができる。このため、この発明では、汎用性に優れるコントローラ１００を得ることができる。
【００４４】
この発明は、上記の実施の形態に限定されるものではなく、この発明の範囲内で種々に改変することができる。すなわち、上記の実施の形態の構成を適宜改良してもよく、また、少なくとも一部を他の構成に代替させてもよい。さらに、その配置について特に限定のない構成要件は、実施の形態で開示した配置に限らず、その機能を達成できる位置に配置することができる。
【００４５】
例えば、検出部１０２は、室外の温度を検出する第１検出部と室内の温度を検出する第２検出部とを含んでもよい。室外温度および室内温度を利用して空気調和システムの制御を行うことによって、さらに好適に室内の温度制御を行うことができる。
【００４６】
また、上記の実施の形態では、第１設定温度Ａ１および第２設定温度Ａ２は、固定値であったが、第１設定温度Ａ１および第２設定温度Ａ２は変動値であってもよい。
例えば、コントローラ１００は、図示を省略してあるカレンダー部を有し、カレンダー部が判断する季節毎に、第１設定温度Ａ１および第２設定温度Ａ２を再設定することができる。例えば、コントローラ１００は、第１季節の夏には第２季節の春よりも第２設定温度Ａ２を高く再設定する。例えば、コントローラ１００は、春に２８℃に設定した第２設定温度Ａ２を、夏には３０℃に再設定する。
または、コントローラ１００は、図示を省略してあるタイマー部を有し、タイマー部が判断する時間帯に応じて、第１設定温度Ａ１および第２設定温度Ａ２を再設定することができる。例えば、コントローラ１００は、第１時間帯の夜には第２時間帯の昼よりも第１設定温度Ａ１を高く再設定する。例えば、コントローラ１００は、昼に２２℃に設定した第１設定温度Ａ１を、夜に２４℃に再設定する。
または、コントローラ１００は、ＨＥＭＳ等のエネルギー管理システムに接続してあり、エネルギー管理システムからの入力に応じて、第１設定温度Ａ１および第２設定温度Ａ２を再設定することができる。
【符号の説明】
【００４７】
１００  換気送風機用コントローラ、１０２  検出部、１０４  入力部、１０４ａ  設定温度入力部、１０４ｂ  第１温度入力部、１０４ｃ  第２温度入力部、１０４ｄ  切替部、１０６  制御部、１０８  表示部、１１０  インターフェース部、２００  空気調和システム、２０１  ビニールハウス、２０２  給気用ファン、２０４  排気用ファン、２０６  空気調和装置、２０８  農作物、３００  空気調和システム、３０１  住居、３０２  熱交換換気装置、３０２Ａ  給気通風路、３０２Ｂ  排気通風路、３０２Ｃ  全熱交換器、Ａ１  第１設定温度、Ａ２  第２設定温度、ＥＡ  排気、ＯＡ  室外空気、ＲＡ  室内空気、ＳＡ  調整空気、θ  室外温度。
【図１】
2015087026.tif 000003
【図２】
2015087026.tif 000004
【図３】
2015087026.tif 000005
【図４】
2015087026.tif 000006
【図５】
2015087026.tif 000007
【図６】
2015087026.tif 000008
【図７】
2015087026.tif 000009
【図８】
2015087026.tif 000010
【図９】
2015087026.tif 000011